(57)【要約】【目的】各種ゴミ等をはき込み面より収集し、収集されたゴミ等を手に触れる事無く、そのままゴミ袋、スーパーのポリ袋等に収める事の出来るちりとりを目的とする。【構成】ちりとり本体後部に、ゴミ等をストレートに、ゴミ袋に収納する為の、排出口を有し、袋を取り付ける為の保持部を設け、又、収集したゴミ等が戻る事を防ぐ為の段差を有したように構成した。【課題】収集されたゴミ等を手に触れる事無く、ワンタッチでそのままゴミ袋、スーパーのポリ袋等に収納する事の出来るようにする事が課題です。【解決手段】前記目的を達成する為に、ちりとり本体後部に排出口を設け、袋を取り付ける事の出来る保持部を有し、又、収集したゴミ等がはき込み面より戻る事を防ぐ為の段差を設ける事で上記課題は解決する。【選択図】図１
2006068078.tif 000002
【特許請求の範囲】
【請求項１】
ちりとり本体底部はき込み面は平面、底部平面両サイドより、ゴミ等飛散防止カバーを有し、カバー後部にはゴミ等排出口を設け、カバー側面両側に、袋取り付け、取り外しの為の袋保持部を有した事を特徴としたちりとり。
【請求項２】
ちりとり本体底部のはき込み面に、ゴミ戻り止めの為の段差を設けた事を特徴とした請求項１掲載のちりとり。
【請求項３】
ちりとり本体上部カバーに、収納可能な折りたたみ式持ち手部を、左右対象に設けた事を特徴とした請求項１掲載のちりとり。
【請求項４】
請求項３掲載の持ち手部以外、ちりとり本体上部カバーに、棒状で折りたたみ可能、取り外し可能な持ち手部を有する事を特徴とした請求項１あるいは請求項３掲載のちりとり。
【発明の詳細な説明】
【技術分野】
【０００１】
本発明は、各種ゴミ等をはき込み面より収集し、収集されたゴミ等を手に触れる事無く、ちりとり本体から、ゴミ袋、スーパーのポリ袋等に、そのまま収納する事の出来るちりとりの提供を目的とする。
【背景技術】
【０００２】
考案したちりとりは、収集されたゴミ等を、ゴミ等に触れる事無くストレートに、ゴミ袋に収納する為の、排出口を設け、排出口から吐き出されるゴミ等は、ちりとり本体に設けている保持部に袋を取り付け収納する、又、収集したゴミ等がはき込み面より戻る事を防ぐ為の段差を設けている事を特徴とする。
【０００３】
今までのちりとりは、排出部には蓋が付いている、持ち手部が手首の角度に合いにくいなど、本ちりとりは、取り付けた袋からゴミ等がはみ出さない事、持ち手部はちりとり本体に収納可能、又、棒状持ち手部は、角度調整、折りたたみ、取り外し可能で、腰等の負担軽減になる等、便利、使い易いちりとりである。
【特許文献１】特開２００４−１６７１８０号公報
【発明の開示】
【発明が解決しようとする課題】
【０００４】
各種ゴミ等を収集し、収集されたゴミ等を手に触れる事無く、そのままゴミ袋、スーパーのポリ袋等に簡単に収納する事の出来るようにする事が課題です。
【課題を解決するための手段】
【０００５】
上記課題の解決手段は、ちりとり本体後部に、排出口を設け、排出口から収集されたゴミ等を、ゴミ等に触れる事無くストレートに、ゴミ袋等に収納する事、その為に袋保持部を設ける、又、収集したゴミ等がはき込み面より戻る事を防ぐ為の段差を有する事で上記課題は解決する。
【発明の効果】
【０００６】
本ちりとりは、取り付けた袋からゴミ等がはみ出さない、一度収集したゴミ等が戻り止め段差にて戻らない、持ち手部はちりとり本体に収納可能、又、棒状持ち手部は、折りたたみ、取り外しが可能でちりとり自体の収納が便利、屈む事による腰等への負担軽減になる等の効果が期待出来る。
【発明を実施するための最良の形態】
【０００７】
本案を図によって説明する。１はちりとり本体底面、２はちりとり本体に取り付けたゴミ等飛散防止カバー、３は袋等を取り付ける保持部、４は収納可能な折りたたみ式持ち手部、５は棒状持ち手部取り付け部、６ははき込まれたゴミ等の戻りを防止する為の段差、７は収集したゴミ等を簡単に袋等に収納する為の排出口、８は収納可能な折りたたみ式持ち手部の収納部、９は４を本体に止める為の膨らみ部、１０は４を本体に差込む為の差込部、１１ａは５にはめ込む為のはめ込み部、１１ｂは１２ａのはめ込み取り付け部、１２ａは棒状持ち手部、１２ｂは１２ａ上部の角度調整部、１３は１１ｂに１２を取り付けた時の折りたたみの為の回転軸、１４は１１ｂに１２ａを取り付け回転する為の１２ａの段差、１３を軸にて１２ａは回転する、１５はゴミ等収集部、１６ａは１２ａを回転した時制止する為の凹部、１６ｂは１２ａを回転した時制止する為の１１ｂの凸部である。
【０００８】
図１は、ちりとり本体を上方から見た上面図で、収納可能な持ち手部４、その持ち手部を収納する為の収納部８、５は棒状持ち手部を取り付ける為の取り付け部、３は袋等を取り付ける為の保持部、１からゴミ等をはき込み、はき込まれたゴミ等の戻りを防止する為の６を設ける、２はちりとり本体に取り付けたゴミ等飛散防止の為のカバー、収集したゴミ等を簡単に袋に収納する為の７を有する図である。
【実施例１】
【０００９】
図２は、ちりとり本体の底面図で、はき込まれたゴミ等の戻りを防止する為の６を裏側から見た図である。
【実施例２】
【００１０】
図３は、ちりとり本体を前後から見た図で、Ａは前部から見た図、１５にゴミ等を収集する。Ｂは後部から見た図に１２ａを取り付けた参考図である。
【００１１】
図４は、ちりとり側面図で、Cは収納可能持ち手部収納図、Dは収納可能持ち手部の使用状態図で、３に袋を取り付ける。
【００１２】
図５は、ちりとり取り付け部品図で、Eは収納可能持ち手部の本体取り付け図、ちりとり本体上部カバーに１０を取り付け、回転する事で４は上下する、Fは５棒状持ち手部本体取り付け部図、本体上部カバーと５の中間付近までの間に隙間を設ける事で、１１ａをスライドしながら取り付ける、Gは本体上部カバーに袋等を取り付ける為の袋保持部で戻り止めの為の３ａ膨らみ部を有する図である。
【００１３】
図６は棒状持ち手部折りたたみの為に部分図で、Hは折りたたんだ時の参考図、１１にａｂの段差を設ける事で５の隙間に収納し止める事が出来、１２ａは１３中心に回転する事で折りたたみが可能になる、Iは１２ａと１１ｂを接続した回転部分の断面図で、１３は回転軸、１６ａｂは１２ａが回転した時、この凹凸により停止出来る、Jは１２ａを１１ｂに接続する為の１１ｂの単体図で、１６ｂは凸部、Kは棒状持ち手部の全体図で、上部の折りたたみ部もIと同じ構造である。
【図面の簡単な説明】
【００１４】
【図１】上面図。
【図２】裏面図
【図３】前後図
【図４】側面図。
【図５】取り付け部品図。
【図６】棒状持ち手部折りたたみ部図。
【符号の説明】
【００１５】
１本体底面、
２飛散防止カバー、
３袋保持部、
３ａ膨らみ部、
４収納可能持ち手部、
５棒状持ち手部取り付け部、
６段差、
７排出口、
８収納持ち手部収納部、
９収納可能持ち手部押え膨らみ部、
１０収納可能持ち手部本体固定部、
１１ａ棒状持ち手部本体スライド式取り付け部、
１１ｂ棒状持ち手部本体接続回転軸固定部、
１２ａ棒状持ち手部、
１２ｂ棒状持ち手部上部折りたたみ部、
１３棒状持ち手部本体回転軸部、
１４棒状持ち手部本体段差、
１５ゴミ収集部、
１６ａ折りたたみ制止の為の凹部、
１６ｂ折りたたみ制止の為の凸部、
【図１】
2006068078.tif 000003
【図２】
2006068078.tif 000004
【図３】
2006068078.tif 000005
【図４】
2006068078.tif 000006
【図５】
2006068078.tif 000007
【図６】
2006068078.tif 000008